(57)【特許請求の範囲】
【請求項１】
人の身体の一部を載置し、折り曲げ可能であって、薄片状からなる複数の載置部を備え、
複数の該載置部は、それぞれ、上下に重なっていて、一辺の側が下に位置する該載置部の該一辺の側と重着されており、任意の数の該載置部を該一辺の方向に折ることで、該載置部が湾曲するとともに、折られた任意の数の該載置部の厚み分、上方へ膨出することを特徴とする身体載置具。
【請求項２】
複数の該載置部は、同一の形状からなることを特徴とする請求項１に記載の身体載置具。
【請求項３】
下に位置する該載置部は、上に位置する該載置部よりも、該一辺に対する垂直方向の長さが、長く形成されていることを特徴とする請求項１に記載の身体載置具。
【請求項４】
該載置部が湾曲している状態を維持するためのストッパー部材を備えることを特徴とする請求項１乃至３のいずれかに記載の身体載置具。
【発明の詳細な説明】
【技術分野】
【０００１】
本発明は、人の頭部、首、肘、腰又は足等の身体の一部を載置するための身体載置具に関する。
【背景技術】
【０００２】
従来、人の身体の一部（例えば、頭部）を載置するものとして、複数のピローパッドと固定部材を含み、前記各ピローパッドのいずれか一側が前記固定部材に着脱自在に連結され、前記固定部材に連結した前記ピローパッドを、適宜数量上或いは下にめくると共に、適宜数量重ね合わせることにより、高さ調整可能とし、且つ、互いに異なる材質の充填材を収容した前記ピローパッドの重ね合わせ順序を可変としたことを特徴とする多層式枕が知られている（特許文献１参照）。
【０００３】
この特許文献１に記載の多層式枕は、複数のピローパッドの一側が固定部材に着脱自在に連結されていることから、使用者が、必要に応じて枕の高さの調整を行うことができるとともに、ピローパッドの上下順序の調整により、多様な材質の充填材を収容したピローパッドを多様な配列で組み合わせることができるようになっている。
【先行技術文献】
【特許文献】
【０００４】
【特許文献１】実用新案登録第３１８０４５４号公報
【発明の概要】
【発明が解決しようとする課題】
【０００５】
しかし、特許文献１に記載されている多層式枕は、枕の高さを調整する際（例えば、枕の高さを低くする場合）、適宜数量のピローパッドを、固定部材に連結されている箇所を支点にして、上にめくる必要があることから、上にめくられたピローパッドと重ねられた状態が保たれたピローパッドは、左右に広げられた状態となる（観音開き状態となる）。そのため、この状態（観音開き状態）で係る多層式枕を使用する場合には、全てのピローパッドが重ねられた状態（観音開きになっていない状態）と比較して、さらに、上にめくられたピローパッド分のスペースが必要となることから、特許文献１に記載されている多層式枕では、コンパクトな使用を望むことができない。
【０００６】
また、特許文献１に記載される多層式枕では、各ピローパッドが、平坦に形成されており、人の後頭部に合わせた形状となっていないことから、係る多層式枕を使用した場合には、使用者の首に相当の負担がかかることになる。そのため、特許文献１に記載の多層式枕では、使用者に快適な枕を提供することができない。
【０００７】
さらに、特許文献１に記載される多層式枕は、各ピローパッドのいずれか一側と固定部材にそれぞれ係合部材（オス・メスの面ファスナーやボタン等の部材）を設置し、係る係合部材を介して、各ピローパッドのいずれか一側が固定部材に着脱自在に連結されるものとなっていることから、構造が複雑で製造に大変な手間とコストを要する。
【０００８】
そこで、本発明は、上記点に鑑みてなされたものであり、人の後頭部等の身体の一部と形状を合わせることができ、また、容易に高さを調整することができることに加え、さらに、一定のスペースで使用可能な（コンパクトに使用可能な）身体載置具を提供することを目的とするものである。
【課題を解決するための手段】
【０００９】
請求項１の発明に係る身体載置具は、人の身体の一部を載置し、折り曲げ可能であって、薄片状からなる複数の載置部を備え、複数の該載置部は、それぞれ、上下に重なっていて、一辺の側が下に位置する該載置部の該一辺の側と重着されており、任意の数の該載置部を該一辺の方向に折ることで、該載置部が湾曲するとともに、折られた任意の数の該載置部の厚み分、上方へ膨出することを特徴とする。
【００１０】
請求項２の発明に係る身体載置具は、請求項１に記載の発明に係る身体載置具において、複数の該載置部は、同一の形状からなることを特徴とする。
【００１１】
請求項３の発明に係る身体載置具は、請求項１に記載の発明に係る身体載置具において、下に位置する該載置部は、上に位置する該載置部よりも、該一辺に対する垂直方向の長さが、長く形成されていることを特徴とする。
【００１２】
請求項４の発明に係る身体載置具は、請求項１乃至３のいずれかに記載の発明に係る身体載置具において、該載置部が湾曲している状態を維持するためのストッパー部材を備えることを特徴とする。
【発明の効果】
【００１３】
請求項１に記載の発明は、折り曲げ可能な薄片状からなる複数の載置部が、それぞれ、上下に重なっていて、一辺の側が下に位置する載置部の一辺の側と重着されており、任意の数の載置部を一辺の方向に折ることで、載置部が湾曲するとともに、折られた任意の数の載置部の厚み分、上方へ膨出するよう構成されていることから、身体載置具の高さを容易に調整することができる。すなわち、本発明では、載置部が湾曲し、折られた任意の数の載置部の厚み分、身体載置具の高さが増すことから、身体載置具の高さを容易に調整することができるのである。
【００１４】
また、本発明では、載置部を湾曲させるとともに、折られた任意の数の載置部の厚み分を上方へ膨出させることで、身体載置具の高さを調整するものとなっていることから、身体載置具の高さを調整したとしても、湾曲させた載置部とそれ以外の載置部（上下に重なった状態のもの）とが観音開き状態となることはない。そのため、本発明では、身体載置具の高さを調整したとしても、全ての載置部が上下に重ねられた状態（身体載置具の高さを調整していない状態）と比較して、身体載置具の高さ以外のサイズが大きく変更されることはないことから、本発明を用いれば、少ないスペースで、これを使用することが可能となる（コンパクトな使用が可能となる）。
【００１５】
さらに、本発明は、上記のとおり、任意の数の載置部を一辺の方向に折ることで、載置部が湾曲するよう構成されていることから、身体載置具の高さを調整することに加え、さらに、載置部の形状を、人（使用者）の身体の一部の形状に合わせることができる。これにより、例えば、使用者が身体載置具に首及び頭部を載置したとしても、使用者の首等には負担がかからないことから、本発明では、使用者により快適な身体載置具を提供することができる。
【００１６】
加えて、本発明は、上下に重なっている複数の載置部の一辺の側を、それぞれ、下に位置する載置部の一辺の側と重着するだけで構成することができることから（構造がシンプルである）、容易かつ低コストでの製造が可能となる。
【００１７】
請求項２に記載の発明は、複数の載置部が同一の形状からなることから、載置部を湾曲させることで、さらに、載置部の形状を、使用者の首や後頭部等の身体の一部の形状に合わせることができる（より快適な身体載置具を使用者に提供することができる）。また、本発明を用いれば、さらに、容易かつ低コストでの製造が可能となる。
【００１８】
請求項３に記載の発明は、下に位置する載置部の一辺に対する垂直方向の長さが、上に位置する載置部の一辺に対する垂直方向の長さよりも長く形成されていることから、載置部を湾曲させることで、さらに、載置部の形状を、使用者の首や後頭部等の身体の一部の形状に合わせることができるとともに、フィット感のある身体載置具を使用者に提供することができる。
【００１９】
請求項４に記載の発明は、載置部が湾曲している状態を維持するためのストッパー部材を備えることから、身体載置具の高さ調整等を安定して行うことができる。
【図面の簡単な説明】
【００２０】
【図１】本発明の実施例１に係る身体載置具の斜視図である。
【図２】本発明の実施例１に係る身体載置具の右側面図である。
【図３】本発明の実施例１に係る身体載置具において、載置部を湾曲させた状態を表す右側面図である。
【図４】本発明の実施例１に係る身体載置具において、載置部が湾曲している状態を、ストッパー部材を用いて維持している状態を表す右側面図である。
【図５】本発明の実施例１に係る身体載置具に、使用者が頭部を載置している状態を表す右側面図である。
【図６】本発明の実施例１に係る身体載置具の変形例を表す斜視図である。
【図７】本発明の実施例１に係る身体載置具の変形例を表す右側面図である。
【図８】本発明の実施例１に係る身体載置具の変形例において、載置部を湾曲させた状態を表す右側面図である。
【図９】本発明の実施例１に係る身体載置具の変形例において、載置部が湾曲している状態を、ストッパー部材を用いて維持している状態を表す右側面図である。
【図１０】本発明の実施例１に係る身体載置具の変形例に、使用者が頭部を載置している状態を表す右側面図である。
【発明を実施するための形態】
【００２１】
以下、図面を用いて本発明の詳細を説明する。
【実施例１】
【００２２】
まず、図１及び図２を用いて、本発明の実施例１に係る身体載置具１００の形態について説明する。
【００２３】
図１は本発明の実施例１に係る身体載置具の斜視図であり、図２は本発明の実施例１に係る身体載置具の右側面図である。
【００２４】
図１及び図２に示すように、身体載置具１００は、複数の載置部１０及びストッパー部材２０を備える。
【００２５】
［載置部１０］
図１及び図２に示すように、複数の載置部１０は、それぞれが、薄片状からなり、平面視において矩形状となるよう形成される（すなわち、複数の載置部１０は同一の形状からなる）。複数の載置部１０は、それぞれが、折り曲げ可能な素材で形成されるとともに、上下に重なった状態（５０枚程の各載置部１０を上下に重ねることが好ましい）で、一辺ａ側が下に位置する載置部１０の一辺ａ側と縫着されることで、重ね着けられた状態となっている（複数の載置部１０のそれぞれの一辺ａ側は、下に位置する載置部１０の一辺ａ側と重着されている）。
【００２６】
各載置部１０の短手方向の長さは概ね２１ｃｍ、長手方向の長さは概ね３０ｃｍ、厚みは概ね０．１ｃｍに形成される（複数の載置部１０を、５０枚の載置部１０で構成した場合には、複数の載置部１０の全体の厚み（高さ）は概ね５ｃｍとなる）。また、各載置部１０の素材には、例えば、フェルト、布、スポンジ等を用いるとよい。
【００２７】
［ストッパー部材２０］
図２に示すように、ストッパー部材２０は、薄片状からなり、平面視において矩形状となるよう形成される。ストッパー部材２０の一端側は、載置部１０（複数の載置部１０の一番下に位置する載置部１０）の裏面に取り付けられており（例えば、縫着又は糊付けされることで取り付けられる）、他端側が載置部１０の一辺ａ方向へ飛び出す格好となっている。ストッパー部材２０の短手方向の長さは概ね２０ｃｍ、長手方向の長さは概ね４０ｃｍ、厚みは概ね０．１ｃｍに形成される。また、ストッパー部材２０の素材には、ストッパー部材２０が折り曲げ可能となるよう、例えば、フェルト、布、スポンジ等を用いるとよい。
【００２８】
次に、図３乃至図５を用いて、本発明の実施例１に係る身体載置具１００の使用方法について説明する。なお、ここでは、身体の一部である頭部を、身体載置具１００に載置する例を挙げて説明する。
【００２９】
図３は本発明の実施例１に係る身体載置具において、載置部を湾曲させた状態を表す右側面図であり、図４は本発明の実施例１に係る身体載置具において、載置部が湾曲している状態を、ストッパー部材を用いて維持している状態を表す右側面図である。また、図５は本発明の実施例１に係る身体載置具に、使用者が頭部を載置している状態を表す右側面図である。
【００３０】
図３に示すように、使用者３００は、まず、任意の数の載置部１０を一辺ａ方向に折ることで、身体載置具１００の高さを好みの高さに調整する。このことを具体的に説明すると、載置部１０（折り曲げ可能な素材で形成されている）が、一辺ａ方向に折られると、載置部１０は湾曲し（図３乃至図５の湾曲部３０）、折られた載置部１０の厚み分、上方へ膨出する格好となることから、身体載置具１００は、載置部１０が上方に膨出した分、その高さが増すことになる。そのため、一辺ａ方向に折られる載置部１０の数により、身体載置具１００の高さは変更されることから、使用者３００は、任意の数の載置部１０を一辺ａ方向に折ることで、身体載置具１００の高さを好みの高さに調整することができるのである（すなわち、より身体載置具１００の高さを、より高くしたいのであれば、使用者３００は、多くの載置部１０を一辺ａ方向に折るようにする）。
【００３１】
このとき、使用者３００は、載置部１０の他辺ｂを持ち上げて、載置部１０の中央付近から、載置部１０を一辺ａ方向に折るようにするとよい（載置部１０を一辺ａ方向に折り返すようにする）。これにより、載置部１０は、中央付近から折り曲げられ、載置部１０の他辺ｂ側の半面が、載置部１０の一辺ａ側の半面の上面に載置される格好となることから、身体載置具１００の高さ以外のサイズを大きく変更することなく、安定して、身体載置具１００の高さを調整（高く）することができるようになる。
【００３２】
また、このとき、任意の数の載置部１０を一辺ａ方向に折る（折り返す）と、折り曲げられた複数の載置部１０（他辺ｂ側の半面）は、その上下の重なりが、載置部１０の一辺ａ方向へずれ込むことになることから（複数の載置部１０は、それぞれ、短手方向の長さが同一であるため）、折り曲げられた複数の載置部１０の他辺ｂ側は、下から上にかけて、なだらかな上り傾斜（階段部ｃ）となる（図３乃至図５）。このため、使用者３００が、この状態で頭部を身体載置具１００に載置すると、階段部ｃが、使用者３００の首から後頭部の形状にフィットすることから、身体載置具１００では、高さの調整に加え、さらに、載置部１０の形状を、使用者３００の身体の一部の形状に合わせることができる。なお、このように、載置部１０を一辺ａ方向に折ったとしても、載置部１０の一辺ａ側は、下に位置する載置部１０の一辺ａ側と縫着されることで、重ね着けられた状態となっていることから、複数の載置部１０が上下に重ねられた状態が崩れることはない。
【００３３】
ここで、使用者３００が、湾曲部３０の形状を、より自身の後頭部の形状に合わせたいのであれば、手で押し込む等して、湾曲部３０の形状を変形させるようにするとよい。載置部１０は、上記のとおり、折り曲げ可能な素材で形成されていることから、使用者３００は、その折り曲げ具合（湾曲部３０の形状）を容易に調整（変形）することができる。
【００３４】
そして、使用者３００は、調整した湾曲部３０の形状を維持（載置部１０が湾曲している状態を維持）すべく、ストッパー部材２０を、湾曲部３０（湾曲している載置部１０）の外側から巻き付けるようにして、載置部１０に固定し（図４）、最後に、自身の頭部を湾曲部３０（湾曲している載置部１０）に載置する（図５）。
【００３５】
このように、本発明では、任意の数の載置部１０を一辺ａ方向に折ることで（載置部１０を湾曲させて）、身体載置具１００の高さを容易に調整することができるとともに、湾曲部３０の形状（載置部１０が湾曲している状態）を、例えば、容易に自身の後頭部の形状に合わせることができることから、使用者３００の身体の一部に負担のかからない身体載置具１００を提供することができる（より快適な身体載置具１００を使用者３００に提供することができる）。
【００３６】
また、本発明では、身体載置具１００の高さを調整したとしても、全ての載置部１０が上下に重ねられた状態（身体載置具１００の高さを調整していない状態）と比較して、身体載置具１００の高さ以外のサイズが大きく変更されることはないことから、本発明を用いれば、少ないスペースで、これを使用することができる（コンパクトな使用が可能となる）。
【００３７】
さらに、本発明は、複数の載置部１０が同一の形状からなり、上下に重なっている複数の載置部１０の一辺ａ側を、それぞれ、下に位置する載置部１０の一辺ａ側と重着するだけで構成することができることから（構造がシンプルである）、容易かつ低コストでの製造が可能となる。
【００３８】
最後に、本発明は、載置部１０が湾曲している状態（湾曲部３０）を維持するためのストッパー部材２０を備えることから、身体載置具１００の高さ調整等を安定して行うことができる。
【００３９】
なお、本実施例では、身体載置具１００の使用方法について、身体の一部である頭部を身体載置具１００に載置する例を挙げて説明したが、身体載置具１００に、これ以外の部位（例えば、肘、腰、足等）を載置することができることは勿論である。この場合も、使用者３００は、上記と同様に、載置する部位に応じて、任意の数の載置部１０を一辺ａ方向に折ることで（載置部１０を湾曲させて）、身体載置具１００の高さ調整等を行うようにするとよい。
【００４０】
また、本実施例では、身体載置具１００（載置部１０、ストッパー部材２０）を上記寸法にて形成するものとしているが、状況に応じて、これを他の寸法（大きめ又は小さめ）にて形成することもできる。また、本実施例では、５０枚程の各載置部１０を上下に重ねるようにしているが、各載置部１０の枚数を、状況に応じて、適宜変更することも可能である。
【００４１】
さらに、本実施例では、複数の載置部１０の形状を、平面視において矩形状となるよう形成するものとしているが、これに身体の一部を載置することができるのであれば、複数の載置部１０の形状を他の形状にて形成することもできる。例えば、複数の載置部１０の形状を三角形状又は六角形状等にて形成することもできる。また、本実施例のストッパー部材２０においても、これを用いて、載置部１０が湾曲している状態（湾曲部３０）を維持することができるのであれば、これを他の形状（例えば、細長い楕円形状等）にて形成できることは勿論である。
【００４２】
加えて、本実施例では、複数の載置部１０が、それぞれ、上下に重なった状態で、一辺ａ側が下に位置する載置部１０の一辺ａ側と縫着されることで、重ね着けられた状態となっているが、例えば、これを糊付け等にて、重ね着ける（重着）こともできる。
【００４３】
また、本実施例では、複数の載置部１０の形状を同一の形状にて形成するものとしているが、任意の数の載置部１０を一辺ａ方向に折ることで（載置部１０を湾曲させて）、身体載置具１００の高さ調整等を行うことができるのであれば、複数の載置部１０のそれぞれの形状を異なるように形成することも可能である。例えば、複数の載置部１０のそれぞれを、四角形状、六角形状、八角形状等にて形成することもできる。また、複数の載置部１０の形状を次のように変形することもできる。なお、以下では、本実施例に係る身体載置具１００と異なる点のみを説明する。
【００４４】
図６は本発明の実施例１に係る身体載置具の変形例を表す斜視図であり、図７は本発明の実施例１に係る身体載置具の変形例を表す右側面図である。図８は本発明の実施例１に係る身体載置具の変形例において、載置部を湾曲させた状態を表す右側面図であり、図９は本発明の実施例１に係る身体載置具の変形例において、載置部が湾曲している状態を、ストッパー部材を用いて維持している状態を表す右側面図である。また、図１０は本発明の実施例１に係る身体載置具の変形例に、使用者が頭部を載置している状態を表す右側面図である。
【００４５】
図６及び図７に示すように、身体載置具２００は、複数の載置部４０及びストッパー部材５０を備え、複数の載置部４０は、それぞれが、薄片状からなり、平面視において矩形状となるよう形成される。複数の載置部４０は、それぞれが、折り曲げ可能な素材で形成されるとともに、上下に重なった状態（５０枚程の各載置部４０を上下に重ねることが好ましい）で、一辺ａ側が下に位置する載置部４０の一辺ａ側と縫着されることで、重ね着けられた状態となっている（複数の載置部４０のそれぞれの一辺ａ側は、下に位置する載置部４０の一辺ａ側と重着されている）。また、下に位置する載置部４０は、上に位置する載置部４０よりも、一辺ａに対する垂直方向の長さが、長くなるよう形成される（複数の載置部４０の他辺ｂ側が階段状になっている）。
【００４６】
図８乃至図１０に示すように、身体載置具２００を使用する場合には、まず、使用者３００は、任意の数の載置部４０を一辺ａ方向に折ることで（載置部４０を湾曲させる（湾曲部６０））、身体載置具２００の高さを好みの高さに調整する。このとき、使用者３００は、載置部４０の他辺ｂを持ち上げて、載置部４０の中央付近から、載置部４０を一辺ａ方向に折るとともに（載置部４０を一辺ａ方向に折り返すようにする）、折られた載置部４０の他辺ｂを一辺ａ方向外側に押し込むようにする。
【００４７】
これにより、折られた載置部４０は、なだらかに傾斜する格好となり、使用者３００が、例えば、この状態で頭部を身体載置具２００に載置すると、折られた載置部４０が、使用者３００の首から後頭部の形状にフィットすることから、身体載置具２００では、高さの調整に加え、さらに、載置部４０の形状を、使用者３００の身体の一部の形状に合わせることができる。また、折られる前の状態で一番下に位置する載置部４０は、折られた状態では一番上に位置することになり、載置部４０を一辺ａ方向に折った際には、下に位置する載置部４０を上から覆う格好となることから（折られる前の状態の下に位置する載置部４０は、上に位置する載置部４０よりも、一辺ａに対する垂直方向の長さが長く形成されているため）、折られた載置部４０の傾斜部分は、凹凸のない滑らかな傾斜面となる。そのため、使用者３００は、違和感なく、身体載置具２００に身体の一部を載置することができることから、身体載置具２００では、よりフィット感のある身体載置具を使用者に提供することができる。
【００４８】
本実施例では、身体載置具１００の高さ調整を行う際、載置部１０を一辺ａ方向に折り返すようにするものとしているが、これを一辺ａ方向に折り込むことでも、身体載置具１００の高さを調整することができることは勿論である。
【００４９】
最後に、本実施例における身体載置具１００は、ストッパー部材２０を備えるものとしているが、身体載置具１００を、よりシンプルな構成にしたいのであれば、ストッパー部材２０を設けないようにすることもできる。なお、本実施例における身体載置具１００の変形例である身体載置具２００においても、同様にすることができることは勿論である。
【００５０】
このように、本実施例では、本発明の趣旨を逸脱しない範囲で種々の変更が可能であることはいうまでもない。
【符号の説明】
【００５１】
１０    載置部
２０    ストッパー部材
３０    湾曲部
４０    載置部
５０    ストッパー部材
６０    湾曲部
１００  身体載置具
２００  身体載置具
３００  使用者
ａ      一辺
ｂ      他辺
ｃ      階段部
【要約】      （修正有）【課題】人の身体の一部と形状を合わせつつ、容易に高さを調整することができるとともに、一定のスペースで使用可能な身体載置具を提供する【解決手段】人の身体の一部を載置し、折り曲げ可能であって、薄片状からなる複数の載置部１０を備え、複数の載置部１０は、それぞれ、上下に重なっていて、一辺ａの側が下に位置する載置部１０の一辺ａの側と重着されており、任意の数の載置部１０を一辺ａの方向に折ることで、載置部１０が湾曲する。【選択図】図５【図１】
0005859158.tif 000002
【図２】
0005859158.tif 000003
【図３】
0005859158.tif 000004
【図４】
0005859158.tif 000005
【図５】
0005859158.tif 000006
【図６】
0005859158.tif 000007
【図７】
0005859158.tif 000008
【図８】
0005859158.tif 000009
【図９】
0005859158.tif 000010
【図１０】
0005859158.tif 000011